(57)【特許請求の範囲】
【請求項１】
盤収容室が可動枠に設けられ、枠側取付構造体が盤収容室の左側部にヒンジを中心として前後方向に回転可能に取り付けられ、枠側取付構造体の上部には枠側係合部が設けられ、盤側取付構造体が遊技盤の左側部に固定され、盤側取付構造体の上部には盤側係合部が設けられ、枠側取付構造体が可動枠の前方に回転され、遊技盤の左側部が可動枠の前方から内部に挿入され、盤側係合部が枠側係合部に上方から嵌め込まれたまま、遊技盤が枠側係合部と盤側係合部との嵌合部分を中心として下方に回転され、盤側取付構造体と枠側取付構造体とが互いに組み合わせられた後、遊技盤の右側部が前方から後方に押されて盤収容室に固定されるパチンコ遊技機の遊技盤取付装置において、
盤収容室の左側部には盤受止部が設けられ、盤側取付構造体または盤収容室には盤押出部が設けられ、遊技盤の左側部に固定された盤側取付構造体と枠側取付構造体とが互いに組み合わせられた状態で、遊技盤の右側部が前方から後方に押されて盤収容室に固定される場合に、枠側取付構造体及び遊技盤がヒンジを中心として回転して遊技盤の左側部の前面が盤受止部で受け止められるとともに盤押出部が遊技盤で前方から後方に押されて撓んで遊技盤の左側部が盤押出部で後方から前方に弾性的に押されることによって、遊技盤が盤押出部と盤受止部とで前後方向から挟まれたことを特徴とするパチンコ遊技機の遊技盤取付装置。
【発明の詳細な説明】
【技術分野】
【０００１】
本発明は、遊技盤の前面と窓パネルとの間の前後方向の寸法が一定になるパチンコ遊技機の遊技盤取付装置に関する。
【背景技術】
【０００２】
図８は、特許文献１で開示されたパチンコ遊技機の遊技盤取付装置を示す。図８において、枠側取付構造体９が盤収容室６から可動枠３の前方に横方向に回転された状態において、遊技盤２３の左側部が遊技機枠１の前方から内部に挿入され、盤側取付構造体２４の上部の盤側係合部２５が枠側取付構造体９の上部の枠側係合部１２に上方から嵌め込まれたまま、遊技盤２３が枠側係合部１２と盤側係合部２５との嵌合部分を中心として下方に回転され、盤側取付構造体２４と枠側取付構造体９とが互いに組み合わせられた後、遊技盤２３の右側部が前方から後方に押されて盤収容室６に固定される。しかしながら、盤側係合部２５を枠側係合部１２に嵌め込みやすくするために、盤側取付構造体２４が前後方向に移動し得る構造になっている。このため、遊技盤２３が盤収容室６に収容され、上前扉１５が閉じられた場合、遊技盤２３の前面と上前扉１５の窓パネル１９との間の前後方向の寸法が変化するという欠点がある。
【特許文献１】特開２００６−１６６９８２号公報
【特許文献２】特開２００６−１６７１８３号公報
【発明の開示】
【発明が解決しようとする課題】
【０００３】
発明が解決しようとする問題点は、遊技盤の前面と上前扉の窓パネルとの間の前後方向の寸法が変化するという点である。
【課題を解決するための手段】
【０００４】
本発明に係るパチンコ遊技機の遊技盤取付装置は、盤収容室が可動枠に設けられ、枠側取付構造体が盤収容室の左側部にヒンジを中心として前後方向に回転可能に取り付けられ、枠側取付構造体の上部には枠側係合部が設けられ、盤側取付構造体が遊技盤の左側部に固定され、盤側取付構造体の上部には盤側係合部が設けられ、枠側取付構造体が可動枠の前方に回転され、遊技盤の左側部が可動枠の前方から内部に挿入され、盤側係合部が枠側係合部に上方から嵌め込まれたまま、遊技盤が枠側係合部と盤側係合部との嵌合部分を中心として下方に回転され、盤側取付構造体と枠側取付構造体とが互いに組み合わせられた後、遊技盤の右側部が前方から後方に押されて盤収容室に固定されるパチンコ遊技機の遊技盤取付装置において、盤収容室の左側部には盤受止部が設けられ、盤側取付構造体または盤収容室には盤押出部が設けられ、遊技盤の左側部に固定された盤側取付構造体と枠側取付構造体とが互いに組み合わせられた状態で、遊技盤の右側部が前方から後方に押されて盤収容室に固定される場合に、枠側取付構造体及び遊技盤がヒンジを中心として回転して遊技盤の左側部の前面が盤受止部で受け止められるとともに盤押出部が遊技盤で前方から後方に押されて撓んで遊技盤の左側部が盤押出部で後方から前方に弾性的に押されることによって、遊技盤が盤押出部と盤受止部とで前後方向から挟まれたことを最も主要な特徴とする。
【発明の効果】
【０００５】
本発明に係るパチンコ遊技機の遊技盤取付装置は、盤側取付構造体と枠側取付構造体とが互いに組み合わされた後、遊技盤の右側部が前方から後方に押されて盤収容室に固定される場合において、遊技盤がばねで後方から前方に押され、遊技盤の前面が盤受止部に受け止められることによって、遊技盤の前面と閉じられた前扉の窓パネルとの間の前後方向の寸法が一定になるという利点がある。
【発明を実施するための最良の形態】
【０００６】
図１は、パチンコ遊技機の遊技盤取付装置を示す。図２は、枠側取付構造体９および盤側取付構造体２４を示す。図３は、遊技盤２３が盤押出部１３と盤受止部８とで挟まれる工程を示す。図４は、遊技盤２３の装着された可動枠３の正面を示す。図５は、盤側係合部２５が枠側係合部１２から解放される工程を示す。本明細書において、「前」、「後」、「左」、「右」、「上」、「下」の方向は、図１の状態に遊技機枠１および遊技盤２３を置いて矢印Ｓで示す前方から見た場合に特定される方向である。
【０００７】
図１を参照し、パチンコ遊技機の遊技盤取付装置について説明する。パチンコ遊技機の遊技盤取付装置は、遊技機枠１に遊技盤２３を取り付けたり取り外したりするための装置である。遊技機枠１は、固定枠２の前部に可動枠３を開閉可能に備える。固定枠２は、遊技機設置構造体に取り付けるための外枠とも呼ばれる。遊技機設置構造体は、遊技店のパチンコ遊技機を設置する島とも呼ばれる設備である。可動枠３は、左側部に位置するヒンジ４を中心とし、固定枠２の前部において前方に開かれかつ後方に閉じられるように片開き可能な前枠とも呼ばれる。
【０００８】
可動枠３には、発射機構５、盤収容室６、中央開口部７、盤受止部８、枠側取付構造体９、盤ロック機構１０などが設けられる。盤収容室６は、前方に開口し、前後方向に奥行の有る箱形に構成される。中央開口部７は、盤収容室６の背壁に前後方向への貫通孔として形成される。盤受止部８は、盤押出部１３で前方に押された遊技盤２３の前面を受け止める突起として、盤収容室６の左側部に設けられる。
【０００９】
枠側取付構造体９は、盤収容室６の左側部にヒンジ１１を中心として前後方向に回転可能に取り付けられる。枠側取付構造体９については図２で詳述するが、枠側取付構造体９には枠側係合部１２や盤押出部１３が設けられる。盤押出部１３は、遊技盤２３を前方に押すコイルばねまたは板ばねあるいはゴムなどの弾性体として構成されるが、板ばねであれば耐久性と構造簡単化との観点から最良である。盤ロック機構１０は、盤収容室６の右側部の背壁から前方に突出する台座の中心にロック操作部１４を回転可能に備える。ロック操作部１４は、台座から前方に突出した操作軸の前部に固定された横長な形態である。
【００１０】
可動枠３の前部には、上前扉１５および下前扉１６が開閉可能に設けられる。上前扉１５および下前扉１６は、左側部に位置するヒンジ１７を中心とし、可動枠３の前部において個別に前方に開かれかつ後方に閉じられるように、片開き可能に構成される。上前扉１５および下前扉１６は、前扉として一体に構成されてもよい。上前扉１５は、パネル枠とも呼ばれ、窓１８や窓パネル１９を備える。窓１８は、前後方向への貫通孔として上前扉１５に設けられる。窓パネル１９は、板状のガラスのような透明体により構成され、窓１８を後方から塞ぐように、上前扉１５に取り付けられる。下前扉１６の前部には、受皿２０および発射操作機構２１が設けられる。下前扉１６の後部には、供給口部２２が設けられる。
【００１１】
遊技盤２３の左側部には、盤側取付構造体２４が設けられる。盤側取付構造体２４には、盤側係合部２５が前後方向への突起として設けられる。遊技盤２３の右側部には、ロック受部２６が前後方向への貫通孔として設けられる。遊技盤２３の前面には、ガイドレール２７や発射通路２８が設けられる。遊技盤２３の前面のガイドレール２７で囲まれた部分には、アウト口２９や図外の入賞部品および遊技釘などの遊技部品が設けられる。
【００１２】
遊技盤２３が作業者によって遊技機枠１に取り付けられる場合を例として説明する。可動枠３が固定枠２に開閉不能に支持され、上前扉１５が前方に開けられ、枠側取付構造体９が作業者によって可動枠３の前方に回転されて停止された状態において、作業者が遊技盤２３を手で持ち、遊技盤２３の前面が前方に向けられ、遊技盤２３の裏面が可動枠３の前面に対し斜めに向けられ、遊技盤２３の左側部が可動枠３に前方から挿入され、盤側係合部２５が枠側係合部１２に上方から嵌め込まれる。
【００１３】
次に、遊技盤２３の左側部における下部が枠側取付構造体９の方向に近づけられるように、遊技盤２３が枠側係合部１２と盤側係合部２５との嵌合部分を中心として下方に回転され、遊技盤２３の左側部および下部が枠側取付構造体９に接触するように、枠側取付構造体９と盤側取付構造体２４とが互いに組み合わせられる。これによって、遊技盤２３の下縁部が盤収容室６の下縁部と平行な態様になり、遊技盤２３の左側部が可動枠３の盤収容室６に配置される。
【００１４】
引き続き、遊技盤２３の右側部が作業者によって前方から可動枠３の方に押されると、ロック操作部１４がロック受部２６を経由して遊技盤２３の前方に突出する。その状態において、作業者がロック操作部１４を例えば左方向に９０度回転操作すると、ロック操作部１４が遊技盤２３におけるロック受部２６の周りの前面に係合し、遊技盤２３が可動枠３の盤収容室６に取り付けられる。このように遊技盤２３が盤収容室６に取り付けられた場合、遊技盤２３の左側部が盤押出部１３で後方から前方に弾性的に押され、この遊技盤２３の左側部の前面が盤受止部８で受け止められる。
【００１５】
その後、上前扉１５が閉じられて可動枠３に開閉不能に支持されることによって、パチンコ遊技機が構成される。このパチンコ遊技機では、遊技盤２３の前面と窓パネル１９とが互いに平行になり、遊技盤２３の前面と窓パネル１９との間の前後方向の寸法は一定になるという利点があり、窓パネル１９と遊技盤２３の前面との間におけるガイドレール２７で囲まれた部分が遊技領域として構成される。この遊技領域は、発射機構５から発射された球が飛び交う空間であるとともに遊技機枠１の前方から窓１８および窓パネル１９を通して視認し得る空間である。また、盤押出部１３が枠側取付構造体９に設けられているので、盤押出部１３を盤収容室６に設ける場合よりも、中央開口部７の横幅を広くすることができる。中央開口部７の横幅が広くなると、例えば、可動枠３の後部に２０インチまたは２１インチなどの大形の液晶表示器などの画像表示器を設け、この画像表示器の表示画面に映し出された画像を中央開口部７と遊技盤２３のガイドレール２７で囲まれた部分と窓１８および窓パネル１９を通して遊技者に見せる場合に有利になる。
【００１６】
パチンコ遊技機におけるパチンコ遊技の一例について説明すると、遊技者が受皿２０にパチンコ球と呼ばれる球を入れ、遊技者が発射操作機構２１を操作するのに伴い、発射機構５が発射操作機構２１の操作量に応じた発射力で駆動し、発射機構５が受皿２０から供給口部２２を経由して発射機構５に取り込まれた球を１個ずつ発射通路２８に向けて発射する。発射通路２８に発射された球は、発射通路２８から遊技領域の上部に到達する。遊技領域に到達した球が、遊技領域を流下する過程において、図外の入賞部品に入賞すると、当該入賞部品に対応する図外の球検出器が入賞信号を図外の制御装置に出力し、図外の制御装置が図外の球払出機構を制御し、球払出機構が賞球としての球を図外の球通路を通して受皿２０に払い出す。
【００１７】
図２を参照し、枠側取付構造体９および盤側取付構造体２４について説明する。枠側取付構造体９は、金属板から構成される。枠側取付構造体９には、縦骨格部３１、後骨格部３２、上骨格部３３、下骨格部３４、上案内部３５、下案内部３６、押出取付部３７、分離支点部３８、回転阻止受部３９が設けられる。縦骨格部３１は、上下方向に長い帯板状である。後骨格部３２は、縦骨格部３１の後縁部から右側に直角に折り曲げられて突出する。上骨格部３３は、後骨格部３２の上縁部から前側に直角に折り曲げられて突出する。
【００１８】
上骨格部３３には、ヒンジ１１が上骨格部３３から上方に直線的に突出した丸棒として設けられる。下骨格部３４は、後骨格部３２の下縁部から前側に直角に折り曲げられて突出する。下骨格部３４には、ヒンジ１１が下骨格部３４から下方に直線的に突出した丸棒として設けられる。上案内部３５は、縦骨格部３１の前後縁の上部から右側に突出する。上案内部３５には、枠側係合部１２が上案内部３５の上縁部から下方に向けて窪む半円弧状に設けられる。下案内部３６は、下骨格部３４の前後縁から上方に直角に折り曲げられて突出する。分離支点部３８は、枠側係合部１２よりも左側および上方に位置し、前後の上案内部３５にわたって固定された部材として上案内部３５に設けられる。
【００１９】
押出取付部３７は、上下に分かれ、後骨格部３２の右縁部から後方に直角に折り曲げられて突出する。押出取付部３７には、盤押出部１３が固定される。盤押出部１３は、押出取付部３７に固定された部分の前縁部から右側に折り曲げられた弾性片の右端部に鉤部４０を備える。回転阻止受部３９は、上骨格部３３に設けられ、枠側取付構造体９が作業者によって図１の可動枠３の前方にヒンジ１１を中心として回転された場合、可動枠３の前方に回転された枠側取付構造体９をその位置に停止するように、可動枠３に設けられた図外の回転阻止体の突起を受容する凹部または孔として構成される。
【００２０】
盤側取付構造体２４は、遊技盤２３の左側上部に固定される。盤側取付構造体２４には、盤側係合部２５および分離受部４１が設けられる。盤側係合部２５は、盤側取付構造体２４から前後方向に直線的に突出した丸棒として構成される。分離受部４１は、盤側係合部２５よりも左側および上方に位置し、盤側取付構造体２４の左縁部から右方に向けて窪む半円弧状に設けられる。枠側係合部１２と盤側係合部２５とが互いに嵌め合わされたまま、遊技盤２３が枠側係合部１２と盤側係合部２５との嵌合部を中心として左側から右側に回転された場合、分離受部４１が分離支点部３８に右側から嵌め合わされるように対応する。遊技盤２３の左側後部には、押出受部４２が、上下に分かれ、遊技盤２３の後面から前方に向けて窪む凹部として設けられる。遊技盤２３における押出受部４２よりも左側に位置する後面には、案内面４２ａが押出受部４２から左側に行くにしたがって徐々に前方に向けて下り勾配となる斜面として設けられる。枠側係合部１２と盤側係合部２５とが互いに嵌め合わされたまま、遊技盤２３が枠側係合部１２と盤側係合部２５との嵌合部を中心として右側から左側に回転された場合、押出受部４２および案内面４２ａが盤押出部１３の鉤部４０に後側から嵌め合わされるように対応している。
【００２１】
図３を参照し、遊技盤２３が枠側取付構造体９と盤側取付構造体２４とを介して盤収容室６に取り付けられる場合において、遊技盤２３が盤押出部１３で前方に押され、遊技盤２３の前面が盤受止部８で受け止められるまでの動作について説明する。図３のａ図において、枠側取付構造体９が可動枠３の前方に回転されて停止された状態において、図１の盤側係合部２５が枠側係合部１２に上方から嵌め込まれたまま、遊技盤２３が枠側係合部１２と盤側係合部２５との嵌合部分を中心として下方に回転されるのに伴い、図３のａ図に示すように、遊技盤２３の左側部が前後方向における下案内部３６の間から縦骨格部３１の方に進入し、盤押出部１３の鉤部４０が遊技盤２３の押出受部４２に嵌め込まれ、盤押出部１３の弾性によって遊技盤２３が前方に押され、遊技盤２３の前面が前方の下案内部３６に近づくかまたは接触する。
【００２２】
そして、遊技盤２３が図３のａ図に矢印Ｘ１で示すように後方に押されるのに伴い、図３のｂ図に示すように、遊技盤２３の左側部の前面が盤受止部８で受け止められ、その反動として、盤押出部１３の鉤部４０の側が遊技盤２３で前方から後方に押されて撓み、遊技盤２３が後方の下案内部３６に近づき、遊技盤２３の左側部が盤押出部１３で後方から前方に弾性的に押され、遊技盤２３の前面が前方の下案内部３６から後方に離れる。そして、図１の上前扉１５が可動枠３に開閉不能に支持された場合、図３のｂ図に示すように、遊技盤２３の前面と窓パネル１９とが互いに平行になり、遊技盤２３の前面と窓パネル１９との間の前後方向の寸法Ｈ１は一定になる。
【００２３】
図４を参照し、遊技盤２３が盤収容室６に取り付けられた形態を可動枠３の前方から見た場合について説明する。枠側係合部１２と盤側係合部２５とが互いに嵌め合わされ、盤受止部８が遊技盤２３の左側部の前面を受け止め、ロック操作部１４が遊技盤２３におけるロック受部２６の周りの前面に係合している。そして、遊技盤２３が可動枠３から取り外される場合について説明すると、ロック操作部１４が例えば右方向に９０度回転操作されてロック受部２６と対応させられる。そして、作業者が遊技盤２３の右側部を前方に引き出すのに伴い、枠側取付構造体９がヒンジ１１を中心として可動枠３の前方に回転され、遊技盤２３の右側部が可動枠３よりも前方に突出し、遊技盤２３の左側部が盤収容室６に配置され、遊技盤２３の裏面が可動枠３の前面に対し斜めに向けられた格好になる。その後、作業者が盤側係合部２５が枠側係合部１２から解放されるように遊技盤２３を手で持って斜め前方に移動することによって、遊技盤２３が可動枠３から取り外される。
【００２４】
図５を参照し、遊技盤２３が可動枠３から取り外される場合において、盤側係合部２５が枠側係合部１２から解放されるまでの動作について説明する。図５のａ図において、矢印Ｘ２で示すように、遊技盤２３が枠側係合部１２と盤側係合部２５との嵌合部分を中心として上方に回転される。この回転に伴い、図５のｂ図に示すように、分離受部４１が分離支点部３８に右側から嵌め込まれる。引き続き、図５のｂ図に矢印Ｘ３で示すように上方に回転されるのに伴い、遊技盤２３が分離支点部３８と分離受部４１との嵌合部分を中心として上方に回転する。この回転に伴い、図５のｃ図に示すように、盤側係合部２５が枠側係合部１２から上方に解放される。このように盤側係合部２５が枠側係合部１２から上方に解放されたまま、作業者が遊技盤２３を図５のｃ図に矢印Ｘ４で示す方向に移動することによって、盤側係合部２５が上案内部３５の上縁部の上に乗り、分離受部４１が分離支点部３８から解放される。
【００２５】
要するに、分離支点部３８が枠側取付構造体９に設けられ、分離受部４１が盤側取付構造体２４に設けられているので、遊技盤２３が枠側係合部１２と盤側係合部２５との嵌合部分を中心として上方に回転されるのに引き続き、遊技盤２３が分離支点部３８と分離受部４１との嵌合部分を中心として上方に回転されることによって、盤側係合部２５を枠側係合部１２から適切に解放することができるという利点がある。換言するならば、盤収容室６の左上奥に配置された盤側係合部２５を枠側係合部１２から上方に解放する場合、遊技者が遊技盤２３を手で持ち上げる必要がなく、遊技盤２３の右側部を右上方に回転するだけで、盤側係合部２５を枠側係合部１２から適切に解放することができる。
【産業上の利用可能性】
【００２６】
図６は、発明を実施するための異なる第１の形態を示す。図６では、盤押出部１３を枠側取付構造体９に設けることなく盤収容室６の背壁の左側部に設けた構造が、最良の形態と異なる。具体的には、枠側取付構造体９のヒンジ１１を中心とした前後方向への回転運動を阻害しないように、盤押出部１３が盤収容室６の背壁から前側に突出するように設けられることから、中央開口部７の横幅が最良の形態よりも小さくなるものの、盤押出部１３と対応する盤収容室６の背壁の後部に球通路などの部品を設けることができる。
【００２７】
図７は、発明を実施するための異なる第２の形態を示す。図７では、コネクタ取付部４３を枠側取付構造体９に設け、枠側コネクタ４４をコネクタ取付部４３に設け、コネクタ取付部４５を遊技盤２３に設け、盤側コネクタ４６をコネクタ取付部４５に設けた構造が、最良の形態と異なる。
【００２８】
コネクタ取付部４３は、枠側取付構造体９の後骨格部３２の右縁部から後方に直角に折り曲げられて突出する。枠側コネクタ４４は、コネクタ取付部４３の前面にフローティング支持（遊動支持）される。つまり、図外の段付きねじ釘などの固着具が枠側コネクタ４４の取付孔からコネクタ取付部４３に取り付けられると、固着具の外周面と枠側コネクタ４４の取付孔との間に隙間が形成され、固着具の頭部が枠側コネクタ４４をコネクタ取付部４３の前面と平行する方向に移動可能にかつコネクタ取付部４３の前面と直交する方向に移動しないように枠側コネクタ４４を支持する。これによって、固着具の外周面と枠側コネクタ４４の取付孔との間の隙間だけ、枠側コネクタ４４がコネクタ取付部４３の前面と平行する方向に移動し得るように、枠側コネクタ４４がコネクタ取付部４３の前面にフローティング支持される。コネクタ取付部４５は、遊技盤２３の後面と直交するように遊技盤２３の左側部から後方に突出する。盤側コネクタ４６は、コネクタ取付部４５の左面に固定される。そして、盤側係合部２５が枠側係合部１２に嵌め込まれ、遊技盤２３が枠側係合部１２と盤側係合部２５との嵌合部分を中心として下方に回転されるのに伴い、盤側コネクタ４６が枠側コネクタ４４のコネクタ取付部４３の前面と平行する方向への移動によって枠側コネクタ４４に接続される。枠側コネクタ４４がコネクタ取付部４３に固定され、盤側コネクタ４６がコネクタ取付部４５にフローティング支持されてもよい。盤押出部１３は、枠側取付構造体９に設けることなく、盤収容室６の背壁の左側部に設けられてもよい。
【図面の簡単な説明】
【００２９】
【図１】パチンコ遊技機の遊技盤取付装置の分解斜視図（最良の形態）。
【図２】枠側取付構造体および盤側取付構造体の分解斜視図（最良の形態）。
【図３】遊技盤が盤押出部と盤受止部とで挟まれる工程図（最良の形態）。
【図４】遊技盤の装着された可動枠の正面図（最良の形態）。
【図５】盤側係合部が枠側係合部から解放される工程図（最良の形態）。
【図６】パチンコ遊技機の遊技盤取付装置の分解斜視図（異なる第１形態）。
【図７】パチンコ遊技機の遊技盤取付装置の分解斜視図（異なる第２形態）。
【図８】パチンコ遊技機の遊技盤取付装置の分解斜視図（従来）。
【符号の説明】
【００３０】
１は遊技機枠、２は固定枠、３は可動枠、４はヒンジ、５は発射機構、６は盤収容室、７は中央開口部、８は盤受止部、９は枠側取付構造体、１０は盤ロック機構、１１はヒンジ、１２は枠側係合部、１３は盤押出部、１４はロック操作部、１５は上前扉、１６は下前扉、１７はヒンジ、１８は窓、１９は窓パネル、２０は受皿、２１は発射操作機構、２２は供給口部、２３は遊技盤、２４は盤側取付構造体、２５は盤側係合部、２６はロック受部、２７はガイドレール、２８は発射通路、２９はアウト口、３０は欠番、３１は縦骨格部、３２は後骨格部、３３は上骨格部、３４は下骨格部、３５は上案内部、３６は下案内部、３７は押出取付部、３８は分離支点部、３９は回転阻止受部、４０は鉤部、４１は分離受部、４２は押出受部、４３はコネクタ取付部、４４は枠側コネクタ、４５はコネクタ取付部、４６は盤側コネクタ。
【図１】
0005247090.tif 000002
【図２】
0005247090.tif 000003
【図３】
0005247090.tif 000004
【図４】
0005247090.tif 000005
【図５】
0005247090.tif 000006
【図６】
0005247090.tif 000007
【図７】
0005247090.tif 000008
【図８】
0005247090.tif 000009